(57)【特許請求の範囲】
【請求項１】
上部構造体と下部構造体とを接着することにより構成される義歯用磁性アタッチメントであって、
前記上部構造体の中心部に設けられた凸部又は凹部と、
前記下部構造体の中心部に設けられた、前記凸部又は凹部と対応する凹部又は凸部と、
前記上部構造体の前記凸部又は凹部と前記下部構造体の前記凹部又は凸部とは回転可能に嵌合し、
前記下部構造体の前記中心部の周囲に設けられた斜面を形成する斜面形成凹部又は斜面形成凸部と、
前記上部構造体の前記中心部の周囲に設けられた、前記下部構造体の前記斜面形成凹部又は斜面形成凸部と噛み合う斜面を形成する斜面形成凸部又は斜面形成凹部と、
を有し、
前記凸部と前記凹部とを嵌合させ前記上部構造体と前記下部構造体とを回転させることにより前記斜面形成凹部と前記斜面形成凸部とが噛み合い、逆方向に回転させることにより前記斜面形成凹部と前記斜面形成凸部とが分離することを特徴とする義歯用磁性アタッチメント。
【請求項２】
上部構造体と下部構造体とを接着することにより構成される義歯用磁性アタッチメントであって、
前記上部構造体の中心部に設けられた凸部又は凹部と、
前記下部構造体の中心部に設けられた、前記凸部又は凹部と対応する凹部又は凸部と、
前記上部構造体の前記凸部又は凹部と前記下部構造体の前記凹部又は凸部とは回転可能に嵌合し、
前記下部構造体の前記中心部の周囲に設けられた斜面を形成する斜面形成凸部又は斜面形成凹部と、
前記上部構造体の前記中心部の周囲に設けられた、前記下部構造体の前記斜面形成凸部又は斜面形成凹部と噛み合う斜面を形成する斜面形成凹部又は斜面形成凸部と、
を有し、
前記凸部と前記凹部とを嵌合させ前記上部構造体と前記下部構造体とを回転させることにより前記斜面形成凹部と前記斜面形成凸部とが噛み合い、逆方向に回転させることにより前記斜面形成凹部と前記斜面形成凸部とが分離することを特徴とする義歯用磁性アタッチメント。
【発明の詳細な説明】
【０００１】
【発明の属する技術分野】
本発明は、義歯用磁性アタッチメントの構成に関する。
【０００２】
【従来の技術】
従来より、磁石の吸引力を利用した可撤性義歯（パーシャルデンチャー又はオーバーデンチャー）の維持装置である磁性アタッチメントは開発されてきた。磁性アタッチメントは、歯根を利用するアタッチメントであり、また、摩擦力ではなく、磁気吸引力で義歯を維持するため、歯根にとって有害な側方力や回転力を軽減でき、骨植不良歯や若干の動揺のある歯でも、その歯根を利用することが利点である。
【０００３】
通常は義歯の中に磁石体を埋め込み、生体側の歯根にはキーパーという非磁石体若しくは磁性ステンレス鋼を設け、この両者が接着する構造をとる。また、大きな吸引力を得ることができるよう、及び磁石本体を保護するため、磁性ステンレス鋼のヨークで義歯側の磁石体をサンドイッチ状に挟み込んだ構造をとり、磁性アタッチメントは閉磁路構造となる。
【０００４】
近年、この吸引力の強化するように開発が進められているが、一方で、義歯用磁性アタッチメントの着脱容易性、特に除去容易性についてあまり考慮された構造を採用されていない。今後、義歯の磁性アタッチメントの吸引力の上昇に伴い、また、義歯の磁性アタッチメントの使用者の高年齢化の加速などにより義歯用磁性アタッチメントの着脱容易性が要求されると考えられる。特に、義歯使用者が取り外しの困難な部位の義歯は、顕著である。
また、従来では脱着時の強力な負荷を必要とするため、歯根の安定性が減衰している場合には、歯根自体の安定性をさらに悪化させることもあり、歯根自体が磁性アタッチメントの着脱に伴い、生体組織から除外される危険もある。さらに、就寝時等には粘膜面を皮膚呼吸させるため、又は人工歯の洗浄時等には義歯は取り外す必要がある。
そこで、患者自身で着脱をコントロールできるように、義歯用磁性アタッチメントの着脱容易性の向上及び歯根に対する負荷を減らすべく僅かな力での着脱は必要不可欠と考えられる。
【０００５】
【発明が解決しようとする課題】
本発明は、上記技術の有する問題点を鑑みて創出されたものであり、その目的は義歯用磁性アタッチメントの着脱容易性の向上及び歯根に対する負荷を減らすべく僅かな力での着脱させることを図るものである。
【０００６】
【課題を解決するための手段】
上記目的を達成するため、本発明の請求項１に係る発明は、上部構造体と下部構造体とを接着することにより構成される義歯用磁性アタッチメントであって、前記上部構造体の中心部に設けられた凸部又は凹部と、前記下部構造体の中心部に設けられた、前記凸部又は凹部と対応する凹部又は凸部と、前記上部構造体の前記凸部又は凹部と前記下部構造体の前記凹部又は凸部とは回転可能に嵌合し、前記下部構造体の前記中心部の周囲に設けられた斜面を形成する斜面形成凹部又は斜面形成凸部と、前記上部構造体の前記中心部の周囲に設けられた、前記下部構造体の前記斜面形成凹部又は斜面形成凸部と噛み合う斜面を形成する斜面形成凸部又は斜面形成凹部と、を有し、前記凸部と前記凹部とを嵌合させ前記上部構造体と前記下部構造体とを回転させることにより前記斜面形成凹部と前記斜面形成凸部とが噛み合い、逆方向に回転させることにより前記斜面形成凹部と前記斜面形成凸部とが分離することを特徴とする義歯用磁性アタッチメントを提供する。
請求項２に係る発明は、上部構造体と下部構造体とを接着することにより構成される義歯用磁性アタッチメントであって、前記上部構造体の中心部に設けられた凸部又は凹部と、前記下部構造体の中心部に設けられた、前記凸部又は凹部と対応する凹部又は凸部と、前記上部構造体の前記凸部又は凹部と前記下部構造体の前記凹部又は凸部とは回転可能に嵌合し、前記下部構造体の前記中心部の周囲に設けられた斜面を形成する斜面形成凸部又は斜面形成凹部と、前記上部構造体の前記中心部の周囲に設けられた、前記下部構造体の前記斜面形成凸部又は斜面形成凹部と噛み合う斜面を形成する斜面形成凹部又は斜面形成凸部と、を有し、前記凸部と前記凹部とを嵌合させ前記上部構造体と前記下部構造体とを回転させることにより前記斜面形成凹部と前記斜面形成凸部とが噛み合い、逆方向に回転させることにより前記斜面形成凹部と前記斜面形成凸部とが分離することを特徴とする義歯用磁性アタッチメントを提供する。
【０００７】
【発明の実施の形態】
本発明では、着脱容易である義歯の磁性アタッチメントを提供する。
【０００８】
磁力又は摩擦力等による接着は、接着面に対して垂直方向の移動には強力な接着力を持ち、非常に固く固定されているが、接着面に対し水平方向の移動には比較的容易に離脱できることが経験的に知られているところである。また、接着面の一部に空間的な隙間があると、一般に磁力は距離の約２乗に反比例するので、磁力又は摩擦力等による接着は容易に離脱することができることも経験的に知られているところである。
【０００９】
本発明では、上記の２点の接着面の着脱容易の性質を利用して、着脱容易である義歯の磁性アタッチメントの構造を発明した。図１では義歯用磁性アタッチメント（１）の取付の例示をしており、図１に示すように義歯の左右に他の歯があり、空間的に密になっている場合もある。
【００１０】
そこで、本発明では、接着面に対し水平方向の移動である、義歯側の回転移動をすることで接着面の間に空間的な隙間を生じることができるような構造とした（図２）。具体的には図２に示すが、義歯側の上部構造体（２）及び歯根側の下部構造体（３）にそれぞれ対応するように、その中心部に凸部（４）と凹部（５）を設け、主にこの部位で所定方向に固定されるものとされる。歯根側の下部構造体の接着面の最上面（６）から緩やかに中心部の凹部（５）の深さと同程度まで達する斜面を形成する斜面形成凹部（７）を設ける。この斜面を形成する斜面形成凹部（７）は所定の面積を持ち、下部構造体の接着面（１３）に上部構造体（２）が一定方向に回転できるよう１又は２以上設ける。一方、歯根側の下部構造体の斜面形成凹部（７）に対応するように、義歯側の上部構造体に斜面形成凸部（８）を設け、両者が密接に接着できるような構造とする。ここで、両者が完全に密着できることで、磁力の吸引力は増加するので、特に、完全に密着できる構造とした。また、義歯側の上部構造体（２）及び歯根側の下部構造（３）体の凸部と凹部は、義歯側の上部構造体に凹部及び歯根側の下部構造体に凸部の構造としてもよい。
【００１１】
上記の構造を採用したことで、義歯の離脱において、義歯側の上部構造体（２）を接着面に対して水平に、一定方向に回転移動させることで、当初は上部構造体及び下部構造体の斜面を形成する斜面形成凹部（７）及び斜面を形成する斜面形成凸部（８）が密着していたものが、上部構造体の斜面を形成する斜面形成凸部（８）が、下部構造体の接着面の最上面（６）と対面するように移動するので、ここでは両者の接着面が密接せず、隙間を生じている状態となる。上記で説明したように、磁力又は摩擦力等による接着は容易に離脱するので、ここで容易に離脱することができる。
【００１２】
図３は、本発明における義歯用磁性アタッチメント内部を示す説明図である。義歯（９）の内部に磁性体である上部構造体（２）を固定させ、その接着面（１２）は義歯の表面の一部をなすように設置する。
歯根（１０）内部には、下部構造体（３）を支持するポスト（１１）を溶接し、その上部に下部構造体（３）を固定するようにする。下部構造体（３）の接着面（１３）は歯根（１０）の表面をなすように設置し、上部構造体と下部構造体（３）が密接に結合し、これにより義歯（９）及び歯根（１０）が安定且つ密接に結合するように、それぞれを配設する。
人工歯（９）の離脱時は、上述したように、人工歯（９）を回転移動させることで、わずかな負荷で簡単に取り外すことができる。
【００１３】
【発明の効果】
従って、本発明の義歯用磁性アタッチメントは、接着面に対し水平方向の移動である、人工歯側の回転移動することで接着面との間に空間的な隙間を生じることができるような構造であり、磁力又は摩擦力等による接着の強力な吸引力を有していても、歯根に対する負荷を減らすべく僅かな力での着脱が可能となり、また、狭い範囲の移動で容易にその離脱ができることとなる。
【図面の簡単な説明】
【図１】義歯用磁性アタッチメントの取付を示す説明図
【図２】磁性アタッチメントの上部構造体と下部構造体を示す説明図
【図３】義歯の磁性アタッチメント内部を示す説明図
【符号の説明】
１ 義歯の磁性アタッチメント
２ 上部構造体
３ 下部構造体
４ 上部構造体中心部の凸部
５ 下部構造体中心部の凹部
６ 下部構造体接着面の最上面
７ 斜面形成凹部（下部構造体）
８ 斜面形成凸部（上部構造体）
９ 人工歯
１０ 歯根
１１ ポスト
１２ 上部構造体接着面
１３ 下部構造体接着面
【図１】
0003600800.tif 000002
【図２】
0003600800.tif 000003
【図３】
0003600800.tif 000004